(57)【要約】    【課題】  必要なダム情報を、いつでもどこからでも、人間が直接理解できる音声によって入手でき、これにより、担当者による正確な判断、機器故障時等の早期対応が可能で、しかも、ダム管理に関するシステムのコスト低減を図る。    【解決手段】  管理センター１２に設置され、複数のダム監視装置２４からダム情報を入手するコンピュータ１４と、該コンピュータ１４に接続されたインターフェース（Ｉ／Ｆ）１６と、該インターフェース１６に接続されたモデム１８と、該モデム１８に接続された第１ＰＨＳ２０と、担当者が所有し、かつ、第１ＰＨＳ２０からのダム情報を受信する第２のＰＨＳ２２とを有し、ダム情報をいわゆるみなし音声通信方式にて音声信号として第２ＰＨＳ２２に送る。【選択図】  図１
2005244451.tif 000002
【特許請求の範囲】
【請求項１】
ダム監視装置からダム情報を入手するダム情報処理ユニットと、
前記ダム情報処理ユニットに接続された第１端末装置と、
前記第１端末装置からの前記ダム情報を受信する第２端末装置と、
前記ダム情報処理ユニットと前記第１端末装置との間に接続された音声化装置とを具備し、
前記ダム情報処理ユニットは、前記第２端末装置から要求があった場合に、要求対象のダム情報を編集して前記音声化装置に出力し、
前記音声化装置は、前記ダム情報処理ユニットからのダム情報を音声信号に変換し、
前記第１端末装置は、前記音声化装置からの音声信号を前記第２端末装置に伝達し、
前記第２端末装置は、前記第１端末装置からの音声信号を音声で出力する、ダム情報通信装置。
【請求項２】
請求項１記載のダム情報通信装置において、
前記第２端末装置から出力される音声の内容は、人間が直接理解できる内容である、情報通信装置。
【請求項３】
請求項１又は２記載のダム情報通信装置において、
前記音声化装置は、前記ダム情報処理ユニットからの前記ダム情報がデジタル信号である場合に、該デジタル信号を音声信号とみなせるようなアナログ信号に変換し、
前記第１端末装置は、前記音声化装置からのアナログ信号を前記第２端末装置に伝達する、情報通信装置。
【請求項４】
請求項１記載のダム情報通信装置において、
前記第１端末装置及び第２端末装置は、それぞれ無線通信を利用した移動型電話である、ダム情報通信装置。
【請求項５】
請求項１記載のダム情報通信装置において、
前記音声化装置は、モデムである、情報通信装置。
【請求項６】
請求項４記載のダム情報通信装置において、
前記第１端末装置及び第２端末装置は、それぞれ携帯電話であって、かつ、携帯電話回線網で接続されている、ダム情報通信装置。
【請求項７】
請求項４記載のダム情報通信装置において、
前記第１端末装置及び第２端末装置は、ＰＨＳ回線網で接続されている、ダム情報通信装置。
【請求項８】
請求項７記載のダム情報通信装置において、
前記第１端末装置は、ＰＨＳアクセスユニットである、ダム情報通信装置。
【請求項９】
請求項１記載のダム情報通信装置において、
更に、前記ダム情報処理ユニットと前記第１端末装置との間に接続された音声認識装置を備え、
前記音声認識装置は、前記第２端末装置から前記第１端末装置を通じて伝達された音声による要求をデジタル信号に変換し、
前記ダム情報処理ユニットは、前記音声認識装置からの前記デジタル信号による要求に基づくダム情報を編集出力する、ダム情報通信装置。
【請求項１０】
請求項１記載のダム情報通信装置において、
前記ダム情報処理ユニットは、前記ダム監視装置から警報信号を受信したとき、該ダム監視装置からの最新のダム情報を受け取り、該最新のダム情報を編集して前記音声化装置に出力する、ダム情報通信装置。
【請求項１１】
請求項１記載のダム情報通信装置において、
前記ダム情報処理ユニットは、前記ダム監視装置から機器の故障を示す信号を受信したとき、該ダム監視装置からの最新のダム情報を受け取り、該最新のダム情報を編集して前記音声化装置に出力する、ダム情報通信装置。
【請求項１２】
請求項１〜１１のいずれか１項に記載のダム情報通信装置において、
前記ダム情報処理ユニットは、前記第１端末装置を通じて前記第２端末装置からの要求を受けない場合に、所定時間間隔で前記音声信号の出力を繰り返す、ダム情報通信装置。
【請求項１３】
ダム監視装置からダム情報を入手するダム情報処理ユニットと、
前記ダム情報処理ユニットに接続された第１端末装置と、
前記第１端末装置から前記ダム情報を受信する第２端末装置と、
前記ダム情報処理ユニットと前記第１端末装置との間に接続された音声化装置とを具備したダム情報通信装置にて使用されるダム情報通信方法において、
前記第２端末装置から要求があった場合に、要求対象のダム情報を編集して出力するステップと、
出力されたダム情報を音声信号に変換するステップと、
前記音声信号を前記第１端末装置を通じて前記第２端末装置に伝達するステップと、
前記第１端末装置からの音声信号を前記第２端末装置において音声で出力するステップとを含む、ダム情報通信方法。
【発明の詳細な説明】
【技術分野】
【０００１】
本発明は、ダム監視装置からダム情報（雨量、ダムの水位、ダムへの水の流入量等に関するデータ情報）を、携帯電話やＰＨＳ(personal handyphone system)等の移動型電話を通じ、音声にて入手することができるダム情報通信装置及びダム情報通信方法に関する。
【背景技術】
【０００２】
従来、ダムに関する情報を通報するシステムとして、一般に普及している電話、ＦＡＸ(facsimile)、パソコン等に対して自動的に通報通知するシステム（例えば、下記特許文献１参照）や、通報を必要とする事象の発生時に、予め登録された担当者に通報メッセージが伝達されるまで、通報優先順位に従った通報先担当者の選択並びに自動発呼を繰り返すシステム（例えば、下記特許文献２参照）が提案されている。
【０００３】
また、ダムに関する設備（発電設備を含む。）の故障等の緊急な対応を要する連絡体制としては、制御所からの電話連絡によるほか、ポケットベルによる通報サービスを利用して、担当者のポケットベルにダム情報（例えば、雨量、ダムの水位、ダムへの水の流入量等に関するデータ情報）を送信するようにしている。ポケットベルによる通報サービスは、例えば、株式会社エム・システム技研のてれとーく（形式：ＴＬＡ）やてれとーくＷ（形式：ＴＬＷ）を用いたシステムがある。
【０００４】
しかし、このポケットベルを使用したシステムは、例えば、累計雨量など、設定値に達した時点で該当するダム情報が送信されるため、刻々と変化するダム諸量の把握ができなかった。特に、ダム放流要否の決定には、ダム諸量の迅速な把握と的確な降雨予測が求められることから、ポケットベルを使用したシステムでは不十分であった。
【０００５】
そこで、緊急時の連絡に加えて、ダム放流要否の決定を支援するシステムとして、ＰＨＳ回線網を使用したシステムが開発され、実用化されている（例えば、下記非特許文献１参照）。このシステムは、ダム監視装置からのダム情報を、電力所のＰＨＳからＰＨＳ回線網を介して担当者のＰＨＳおよび携帯電話に送信し、該担当者のＰＨＳの表示画面に表示させるというものである。このシステムによれば、いつでもどこからでもダム諸量を迅速に入手できるという利点がある。
【０００６】
なお、本発明者等は、本発明に関連する下記の文献の存在を承知している。
【特許文献１】特開平５−１８３６４６号公報
【特許文献２】特開２００１−３１２７８２号公報
【非特許文献１】電気現場技術ｖｏｌ．４１，Ｎｏ．４８３，ｐ３３〜ｐ３７（アステルＰＨＳ「ドットｉ」を活用した『ダム見張り番』の開発」
【発明の開示】
【発明が解決しようとする課題】
【０００７】
このような状況下で、必要なダム情報を、いつでもどこからでも、人間が直接理解できる音声によって入手できる、システムの開発が望まれていた。
【課題を解決するための手段】
【０００８】
従って、本発明は、上述したポケットベルによるシステムの利点と、ＰＨＳ回線網を利用したシステムの利点を活用し、必要なダム情報を、いつでもどこからでも、人間が直接理解できる音声によって入手できるダム情報通信装置及びダム情報通信方法を提供することを目的とする。
【０００９】
更に本発明は、必要なダム情報を、いつでもどこからでも、人間が直接理解できる音声によって入手できるダム情報通信装置及びダム情報通信方法であって、担当者による正確な判断、機器故障時等の早期対応が可能で、しかも、ダム管理に関するシステムのコスト低減を図ることができるシステムを提供することを目的とする。
【００１０】
本発明に係るダム情報通信装置は、ダム監視装置からダム情報を入手するダム情報処理ユニットと、前記ダム情報処理ユニットに接続された第１端末装置と、前記第１端末装置から前記ダム情報を受信する第２端末装置と、前記ダム情報処理ユニットと前記第１端末装置との間に接続された音声化装置とを具備し、前記ダム情報処理ユニットは、前記第２端末装置から要求があった場合に、要求対象のダム情報を編集して前記音声化装置に出力し、前記音声化装置は、前記ダム情報処理ユニットからのダム情報を音声信号に変換し、前記第１端末装置は、前記音声化装置からの音声信号を前記第２端末装置に伝達し、前記第２端末装置は、前記第１端末装置からの音声信号を音声で出力する。前記第２端末装置から出力される音声の内容は、人間が直接理解できる内容であってもよい。
【００１１】
更に本発明に係るダム情報通信装置は、第２端末装置から要求があった場合に、要求対象のダム情報を編集して出力し、この出力されたダム情報を音声信号に変換し、該音声信号を前記第１端末装置を通じて前記第２端末装置に伝達し、前記第１端末装置からの音声信号を前記第２端末装置において音声で出力する。
【００１２】
ここで、ダム情報は、例えば、雨量、ダムの水位、ダムへの水の流入量等に関するデータ情報を含む。
【００１３】
更に本発明に係るダム情報通信装置は、ダム情報処理ユニットによるダム監視装置からのダム情報の入手は、例えば、ダム監視装置から定期的に送られてくるダム情報や、ダム情報処理ユニットからダム監視装置に要求を出し、その要求に応じてダム監視装置から送られてくるダム情報を記憶媒体（例えば、データベース等）に格納することを含む。
【００１４】
更に本発明に係るダム情報通信装置は、ダム情報の編集は、例えば、雨量や水位などのダム情報をメッセージ文に組み込む処理を含む。
【００１５】
メッセージ文としては、例えば、ダムの名称、雨量や水位などのタイトルに、ダム監視装置から送られてきた雨量や水位などの数値を組み込んで、例えば、「こちらは、○○ダムです。」、「雨量は、××ミリです。」、「水位は、△△メートルです。」などの文を含む。
【００１６】
更に本発明に係るダム情報通信装置は、第２端末装置からの要求としては、例えば、担当者が第２端末装置に対して、第１端末装置を特定する番号、例えば、電話番号を入力して、第１端末装置を呼び出すことと、ダムを特定する番号やダム情報の特定項目を示す番号の入力、又はダムの名称やダム情報の項目の音声入力などを含む。
【００１７】
更に本発明に係るダム情報通信装置は、前記第１端末装置からの音声信号の前記第２端末装置への伝達は、例えば、有線による伝送や無線による送信等を含む。なお、担当者とは、ダム管理主任技術者など、ダム管理を担う者を指す。
【００１８】
このように、本発明は、必要なダム情報を、いつでもどこからでも、人間が直接理解できる音声によって入手でき、これにより、担当者による正確な判断、機器故障時等の早期対応が可能で、しかも、ダム管理に関するシステムのコスト低減を図ることができる。
【００１９】
そして、前記構成において、前記音声化装置は、前記ダム情報処理ユニットからの前記ダム情報がデジタル信号である場合に、該デジタル信号を音声信号とみなせるようなアナログ信号に変換し、前記第１端末装置は、前記音声化装置からのアナログ信号を前記第２端末装置に伝達するようにしてもよい。つまり、いわゆるみなし音声通信方式にてダム情報を音声信号として第２端末装置に送ることができる。この場合、装置構成も簡単であり、安価に構築できるため、システムのコスト低減に有利である。
【００２０】
また、前記構成において、前記第１端末装置及び第２端末装置は、例えば、それぞれ無線通信を利用した移動型電話であってもよい。この場合、前記第１端末装置及び第２端末装置は、それぞれ携帯電話であって、かつ、携帯電話回線網で接続されていてもよいし、前記第１端末装置及び第２端末装置は、ＰＨＳ回線網で接続されていてもよい。また、前記音声化装置は、例えば、モデムであってもよい。
【００２１】
ここで、ＰＨＳ回線網を利用して、上述したみなし音声通信方式を使用する場合は、例えば、第１端末装置（ＰＨＳ）のイヤホンマイクジャックとモデムを専用ケーブルで接続して、モデムの信号音を音声とみなして通信すればよい。この場合、ダム情報処理ユニットから出力されたメッセージ文（デジタル信号）がモデムに入力されてアナログ信号に変換されることから、第１端末装置（ＰＨＳ）からはメッセージ文の音声信号が出力されることになる。この音声信号はＰＨＳ回線網を介して第２端末装置（ＰＨＳ）に送られ、該第２端末装置から前記メッセージ文が人間が直接理解できる音声で出力されることになる。
【００２２】
なお、イヤホンマイクジャックが付いているＰＨＳが入手できない場合は、第１端末装置として、ＰＨＳアクセスユニット（以下、「ＰＡＵ」と記す。）を用いてもよい。ＰＡＵは、アナログ電話用２線式インターフェースを内蔵しており、ＦＡＸや一般電話機を接続してＰＨＳ回線網を使用したＦＡＸ送受信や音声通話が可能な装置である。
【００２３】
また、前記構成において、更に、前記ダム情報処理ユニットと前記第１端末装置との間に接続された音声認識装置を備え、前記音声認識装置は、前記第２端末装置から前記第１端末装置を通じて伝達された音声による要求をデジタル信号に変換し、前記ダム情報処理ユニットは、前記音声認識装置からの前記デジタル信号による要求に基づくダム情報を編集出力するようにしてもよい。
【００２４】
ここで、音声による要求としては、例えば、担当者が、第２端末装置を使用して、ダムの名称（番号でもよい。）や雨量、水位などのタイトルを音声で入力することを含む。
【００２５】
音声認識装置は、入力された音声の内容に応じたデジタル信号、例えば、文字データに変換する。ダム情報処理ユニットは、音声認識装置にて得られた文字データを検索キーとして、データベースに登録された各種テーブルから対応する雨量や水位等のダム情報を抽出し、更に、抽出されたダム情報を編集して出力する。ダム情報処理ユニットから出力されたダム情報は、音声信号に変換され、該音声信号は前記第１端末装置を通じて前記第２端末装置に伝達され、該第２端末装置において音声で出力されることになる。
【００２６】
要求内容をキー操作ではなく、音声入力でよいため、キー操作による番号入力の場合と異なり、ダムの名称やダム情報の項目とキー番号の対応表を参照しながら入力する必要なく、使い勝手のよいシステムを構築することができる。
【００２７】
また、前記構成において、前記ダム情報処理ユニットは、前記ダム監視装置から警報信号を受信したとき、該ダム監視装置からの最新のダム情報を受け取り、該最新のダム情報を編集して前記音声化装置に出力するようにしてもよい。
【００２８】
最新のダム情報の編集においては、例えば、ダムの名称、雨量や水位などのダム情報が組み込まれたメッセージ文に加えて緊急を知らせるアラームの音声信号を追加することなどが挙げられる。この場合、第２端末装置にてアラームが鳴って、ダム情報が音声出力されることから、担当者は、その緊急性を早期に知ることができ、緊急なる事象が発生した場合に迅速に対応することができる。
【００２９】
また、前記構成において、前記ダム情報処理ユニットは、前記ダム監視装置から機器の故障を示す信号を受信したとき、該ダム監視装置からの最新のダム情報を受け取り、該最新のダム情報を編集して前記音声化装置に出力するようにしてもよい。
【００３０】
この場合も、最新のダム情報の編集においては、例えば、ダムの名称、雨量や水位などのダム情報が組み込まれたメッセージ文に加えて機器故障を知らせるアラームの音声信号を追加することなどが挙げられる。この場合、第２端末装置にてアラームが鳴って、ダム情報が音声出力されることから、担当者は、機器故障を早期に知ることができ、迅速に対応することができる。
【００３１】
ところで、担当者は、第２端末装置から出力される音声の内容を確認した場合、更に、各種要求を示す操作入力（別のダムに関するダム情報の要求や、ダム情報の項目単位の要求や、通信終了の要求を含む）を行う場合がある。この操作入力に基づいて、第２端末装置から各種要求を示す信号が第１端末装置に伝達されることになる。ダム情報処理ユニットは、前記第１端末装置を通じて前記第２端末装置からの各種要求に応じて、別のダムに関するダム情報の出力や、ダム情報の項目単位の出力や、通信終了を示す出力を行う。
【００３２】
一方、前記第１端末装置を通じて前記第２端末装置からの要求を受けない場合、ダム情報処理ユニットは、所定時間間隔で前記音声信号の出力を繰り返す。これは、例えば、担当者が音声の内容を聞き逃した場合や、ダム情報の時間的推移を音声で確認したい場合などに便利である。
【００３３】
更に本発明に係るダム情報通信方法は、ダム監視装置からダム情報を入手するダム情報処理ユニットと、前記ダム情報処理ユニットに接続された第１端末装置と、前記第１端末装置から前記ダム情報を受信する第２端末装置と、前記ダム情報処理ユニットと前記第１端末装置との間に接続された音声化装置とを具備したダム情報通信装置にて使用されるダム情報通信方法において、前記第２端末装置から要求があった場合に、要求対象のダム情報を編集して出力するステップと、出力されたダム情報を音声信号に変換するステップと、前記音声信号を前記第１端末装置を通じて前記第２端末装置に伝達するステップと、前記第１端末装置からの音声信号を前記第２端末装置において音声で出力するステップとを含む。
【００３４】
これにより、必要なダム情報を、いつでもどこからでも、人間が直接理解できる音声によって入手でき、これにより、担当者による正確な判断、機器故障時等の早期対応が可能で、しかも、ダム管理に関するシステムのコスト低減を図ることができる。
【発明の効果】
【００３５】
以上説明したように、本発明によれば、ポケットベルによるシステムの利点と、ＰＨＳ回線網を利用したシステムの利点を活用し、必要なダム情報を、いつでもどこからでも、人間が直接理解できる音声によって入手できるダム情報通信装置及びダム情報通信方法を提供することが出来る。
更に本発明によれば、必要なダム情報を、いつでもどこからでも、人間が直接理解できる音声によって入手できるダム情報通信装置及びダム情報通信方法であって、担当者による正確な判断、機器故障時等の早期対応が可能で、しかも、ダム管理に関するシステムのコスト低減を図ることが出来る。
【発明を実施するための最良の形態】
【００３６】
以下、本発明に係るダム情報通信装置及びダム情報通信方法をＰＨＳ回線網を利用したシステムに適用した実施の形態（以下、「実施の形態に係るダム情報通信システム」と記す。）について図１〜図１０を参照しながら詳細に説明する。
［第１の実施の形態に係るダム情報通信システム］
【００３７】
本実施の形態に係るダム情報通信システム１０は、図１に示すように、管理センター１２に設置されたダム情報処理ユニットとしてのコンピュータ１４と、該コンピュータ１４の図示しない入出力ポートに接続された、例えば、アナログ電話用２線式のインターフェース（Ｉ／Ｆ）１６と、該インターフェース１６に接続された音声化装置としてのモデム１８と、該モデム１８に接続された第１端末装置としての第１ＰＨＳ２０と、担当者が所有し、かつ、第１ＰＨＳ２０からのダム情報を受信する第２端末装置としての第２のＰＨＳ２２とを有する。
【００３８】
コンピュータ１４は、管理センター１２の管理対象となっている１以上のダムにそれぞれ設置された複数のダム監視装置２４からダム情報を入手する。モデム１８は、第１ＰＨＳ２０のイヤホンマイクジャック２６を通じて第１ＰＨＳ２０と接続されている。
そして、コンピュータ１４は、第２ＰＨＳ２２から要求があった場合に、要求対象のダム情報を編集してモデム１８に出力する。モデム１８は、コンピュータ１４からのダム情報（デジタル信号）を音声信号とみなせるようなアナログ信号に変換する。第１ＰＨＳ２０は、モデム１８からの音声信号をＰＨＳ回線網２８を通じて第２ＰＨＳ２２に送信し、該第２ＰＨＳ２２は、第１ＰＨＳ２０からの音声信号を音声で出力する。つまり、このシステム１０は、ダム情報をいわゆるみなし音声通信方式にて音声信号として第２ＰＨＳ２２に送るようにしている。
【００３９】
ここで、ダム情報は、雨量、ダムの水位、ダムへの水の流入量等に関するデータ情報を含む。コンピュータ１４によるダム監視装置２４からのダム情報の入手は、ダム監視装置２４から定期的に送られてくるダム情報や、コンピュータ１４からダム監視装置２４に要求を出し、その要求に応じてダム監視装置２４から送られてくるダム情報を、図示しない記憶媒体（データベース等）に登録されたダム情報テーブル３０に格納することを含む。
【００４０】
ダム情報の編集は、雨量や水位などのダム情報をメッセージ文に組み込む処理を含む。メッセージ文としては、例えば、ダムの名称、雨量や水位などのタイトルに、ダム監視装置２４から送られてきた雨量や水位などの数値を組み込んで、例えば、「こちらは、○○ダムです。」、「雨量は、××ミリです。」、「水位は、△△メートルです。」などの文を含む。
【００４１】
第２ＰＨＳ２２からの要求としては、例えば、担当者が第２ＰＨＳ２２に対して、第１ＰＨＳ２０を特定する番号、例えば、電話番号を入力して、第１ＰＨＳ２０を呼び出すことと、ダムを特定する番号やダム情報の特定項目を示す番号の入力を含む。
【００４２】
コンピュータ１４は、例えば、ソフトウェアにて構成されたダム情報受取手段３２と、ダム情報読出手段３４と、メッセージ文編集手段３６とを有する。
【００４３】
ダム情報受取手段３２は、１以上のダムにそれぞれ設置されたダム監視装置２４から定期的に送られてくるダム毎のダム情報や、コンピュータ１４から特定のダム監視装置２４に要求を出し、その要求に応じて該当ダム監視装置２４から送られてくるダム情報をデータベース等に登録されたダム情報テーブル３０に格納する機能を有する。
【００４４】
ダム情報読出手段３４は、指定されたダムに対応するダム情報をダム情報テーブル３０から読み出す機能を有する。
【００４５】
メッセージ文編集手段３６は、メッセージ情報テーブル３８に格納された各種定型文から該当する定型文のデータを読み出して、今回送信すべきメッセージ文データとしたり、読み出した定型文のデータに前記ダム情報読出手段３４を通じて読み出されたダム情報を組み込んで、今回送信すべきメッセージ文データを作成、編集する機能を有する。
【００４６】
入出力ポートに出力されたメッセージ文データは、インターフェース１６を介してモデム１８に送られ、該モデム１８において、アナログの音声信号に変換される。この音声信号は第１ＰＨＳ２０に送られる。第１ＰＨＳ２０に送られた音声信号は、無線信号としてＰＨＳ回線網２８を介して第２ＰＨＳ２２に送られる。第２ＰＨＳ２２にて受信された無線信号は、音声信号に復元され、第２ＰＨＳ２２のスピーカから音声として出力されることになる。この音声の内容は、人間が直接理解できる内容を有する。つまり、第２ＰＨＳ２２からは、コンピュータ１４のメッセージ文編集手段３６にて編集作成されたメッセージ文データが、人間が直接理解できる音声として出力されることになる。
【００４７】
ここで、第１の実施の形態に係るダム情報通信システム１０の動作を図２〜図５のフローチャートを参照しながら説明する。図２は、第２ＰＨＳ２２での処理を示し、図３〜図５はコンピュータ１４、モデム１８及び第１ＰＨＳ２０での処理を示す。
【００４８】
まず、図２のステップＳ１において、例えば、担当者が第２ＰＨＳ２２に対して、第１ＰＨＳ２０を特定する番号、例えば、電話番号を入力して、第１ＰＨＳ２０との通話を開始する。その後、第２ＰＨＳ２２は、ステップＳ２において待ち受け状態に入り、次のステップＳ３において、第１ＰＨＳ２０からの送信を待つ。
【００４９】
一方、第１ＰＨＳ２０は、図３のステップＳ１０１において、待ち受け状態に入り、第２ＰＨＳ２２からの呼出しがあった時点で、ステップＳ１０２を経て、次のステップＳ１０３において、第１ＰＨＳ２０と第２ＰＨＳ２２との通信路が確保され、呼出しによる割込みをコンピュータ１４に出力する。コンピュータ１４は、前記割込み信号を受けた時点でメッセージ文編集手段３６を起動する。
【００５０】
メッセージ文編集手段３６は、ステップＳ１０４において、メッセージ情報テーブル３８から１つの定型文メッセージ、例えば、「こちらは管理センターです。ダムの番号を入力して下さい。」などのように、通信開始を示すメッセージ文データを読み出して、第１ＰＨＳ２０に向けて出力する。
【００５１】
コンピュータ１４から出力された前記メッセージ文データ（デジタル信号）は、モデム１８によって音声信号とみなされるようなアナログ信号（以下、音声信号と記す）に変換され（ステップＳ１０５）、その後、第１ＰＨＳ２０とＰＨＳ回線網２８を通じて第２ＰＨＳ２２に送信される（ステップＳ１０６）。その後、第１ＰＨＳ２０は、ステップＳ１０７において待ち受け状態に入り、次のステップＳ１０８において第２ＰＨＳ２２からの送信を待つ。
【００５２】
第２ＰＨＳ２２では、図２に示すように、第１ＰＨＳ２０からの音声信号が受信された時点で、次のステップＳ４に進み、受信された前記音声信号が、第２ＰＨＳ２２の内蔵スピーカによって音声に変換されて出力される。この音声は、人間が直接理解できる内容であり、従って、第２ＰＨＳ２２からは、上述した「こちらは管理センターです。ダムの番号を入力して下さい。」という音声が出力されることになる。
【００５３】
次に、ステップＳ５において、担当者は、ダムを特定する番号を、第２ＰＨＳ２２の操作キーを使って入力し、送信する。この送信信号は、音声信号としてＰＨＳ回線網２８を介して第１ＰＨＳ２０に送信される。その後、第２ＰＨＳ２２は、ステップＳ６において待ち受け状態に入り、次のステップＳ７において第１ＰＨＳ２０からの送信を待つ。
【００５４】
図３に示すように、第１ＰＨＳ２０において、第２ＰＨＳ２２から送信された番号（ダムを特定する番号）が受信されると、次のステップＳ１０９に進み、受信された音声信号はモデム１８によってデジタル信号に変換され、番号データとしてコンピュータ１４に供給される。
【００５５】
次に、図４のステップＳ１１０において、コンピュータ１４は、ダム情報読出手段３４を通じて、ダム情報テーブル３０から前記番号データに含まれる番号に対応するダムのダム情報を読み出す。
【００５６】
次に、ステップＳ１１１において、コンピュータ１４は、メッセージ文編集手段３６を通じて、要求のあったダムのダム情報を含むメッセージ文データを編集作成する。編集作成されるメッセージ文データとしては、例えば、要求のあったダムの名称、雨量や水位などのタイトルに、ダム監視装置２４から送られてきた雨量や水位などの数値を組み込んだ文を示すデータであり、内容的には、例えば、「こちらは、○○ダムです。雨量は××ミリ、水位は△△メートルです。」等である。
【００５７】
次に、ステップＳ１１２において、コンピュータ１４は、編集作成されたメッセージ文データを第１ＰＨＳ２０に向けて出力する。その後、ステップＳ１１３において、時間の計数（計時）を開始する。
【００５８】
コンピュータ１４から出力された前記メッセージ文データ（デジタル信号）は、モデム１８によって音声信号に変換され（ステップＳ１１４）、その後、第１ＰＨＳ２０とＰＨＳ回線網２８を通じて第２ＰＨＳ２２に送信される（ステップＳ１１５）。その後、第１ＰＨＳ２０は、図５のステップＳ１１３において待ち受け状態に入り、次のステップＳ１１７において第２ＰＨＳ２２からの送信を待つ。
【００５９】
第２ＰＨＳ２２では、図２に示すように、第１ＰＨＳ２０からの音声信号が受信された時点で、次のステップＳ８に進み、受信された前記音声信号が、第２ＰＨＳ２２の内蔵スピーカによって音声に変換されて出力される。このとき、第２ＰＨＳ２２からは、人間が直接理解できる、例えば、「こちらは、○○ダムです。雨量は××ミリ、水位は△△メートルです。」という音声が出力されることになる。
【００６０】
その後、ステップＳ９において待ち受け状態に入る。この待ち受け状態において、キー操作によって番号入力がなされた場合は、ステップＳ１０を経てステップＳ１１に進み、前記キー操作による番号が送信された後に、前記ステップＳ９に戻り、再び待ち受け状態に入る。なお、ここで行われるキー操作としては、ダム情報の中の任意の項目（例えば、ダムへの水の流入量等）を示す番号の入力、あるいは別のダムを示す番号の入力、あるいは通話終了を示す番号の入力などである。なお、ここでの通話終了を示す番号の入力は、保安の関係から、担当者がダム情報を確認したことを管理センターに知らせることを意味するものであり、実質的な通信終了を示すものではない。実質的な通信終了は、通話終了を示す番号の入力の後に、通信終了キーを操作することで行われる。
【００６１】
図５に示すように、第１ＰＨＳ２０において第２ＰＨＳ２２から送信された番号（音声信号）が受信されると、次のステップＳ１１８に進み、受信された音声信号は、モデム１８によってデジタル信号に変換され、番号データとしてコンピュータ１４に供給される。
【００６２】
ステップＳ１１９において、コンピュータ１４は、供給された番号データの種類を判別する。番号データが、ダム情報の項目を示す番号であれば、次のステップＳ１２０に進み、ダム情報読出手段３４を通じて、ダム情報テーブル３０から、今回の対象となっているダムのダム情報のうち、前記番号データに含まれる番号に対応するダム情報（例えば、ダムへの水の流入量等）を読み出す。
【００６３】
次に、ステップＳ１２１において、コンピュータ１４は、メッセージ文編集手段３６を通じて、要求のあったダム情報を含むメッセージ文データを編集作成する。編集作成されるメッセージ文データとしては、例えば、現在対象となっているダムの名称と今回要求のあった項目のタイトルに、現在対象となっているダムのダム監視装置２４から送られてきた数値（今回要求のあった項目に対応する値）を組み込んだ文を示すデータであり、内容的には、例えば、「こちらは、○○ダムです。ダムへの水の流入量は毎秒△△立方ミリです。」等である。その後、ステップＳ１２２において、コンピュータ１４は、編集作成されたメッセージ文データを第１ＰＨＳ２０に向けて出力する。
【００６４】
ステップＳ１１９の説明に戻り、番号データが、ダムを特定する番号であれば、上述したステップＳ１１０以降の処理を繰り返す。即ち、ダム情報読出手段３４を通じて、ダム情報テーブル３０から前記番号データに含まれる番号に対応するダムのダム情報を読み出し、メッセージ文編集手段を通じて、要求のあったダムのダム情報を含むメッセージ文データを編集作成する。この場合、ダム情報が更新されていれば、更新後のダム情報が読み出されてメッセージ文データとして編集作成される。その後、コンピュータ１４は、編集作成されたメッセージ文データを第１ＰＨＳ２０に向けて出力する。
【００６５】
ステップＳ１１９の説明に戻り、番号データが、通話終了を示す番号であれば、ステップＳ１２３に進み、コンピュータ１４は、メッセージ文編集手段３６を通じて、メッセージ情報テーブル３８から１つの定型文メッセージ、例えば、「ダム情報の通話を終了します。」などのように、通話終了を示すメッセージ文データを読み出し、第１ＰＨＳ２０に向けて出力する。
【００６６】
一方、前記ステップＳ１１７において、第１ＰＨＳ２０での受信がない場合は、ステップＳ１２４に進み、前回のメッセージ文データの出力から所定時間が経過したか否かが判別される。所定時間が経過していなければ、ステップＳ１１６に戻り、再び待ち受け状態に入り、所定時間が経過していれば、上述したステップＳ１１０以降の処理を繰り返す。即ち、ダム情報読出手段３４を通じて、ダム情報テーブル３０から前記番号データに含まれる番号に対応するダムのダム情報を読み出し、メッセージ文編集手段３６を通じて、要求のあったダムのダム情報を含むメッセージ文データを編集作成する。この場合も、ダム情報が更新されていれば、更新後のダム情報が読み出されてメッセージ文データとして編集作成される。その後、コンピュータ１４は、編集作成されたメッセージ文データを第１ＰＨＳ２０に向けて出力する。
【００６７】
コンピュータ１４から出力された前記メッセージ文データ（デジタル信号）は、モデム１８によって音声信号に変換され（ステップＳ１１４）、その後、第１ＰＨＳ２０とＰＨＳ回線網２８を通じて第２ＰＨＳ２２に送信される（ステップＳ１１５）。
【００６８】
図５の前記ステップＳ１２２又は１２３を通じてコンピュータ１４から出力された前記メッセージ文データ（デジタル信号）は、上述と同様に、モデム１８によって音声信号に変換され（ステップＳ１２５）、その後、第１ＰＨＳ２０とＰＨＳ回線網２８を通じて第２ＰＨＳ２２に送信される（ステップＳ１２６）。
【００６９】
次に、ステップＳ１２７において、通信終了であるか否かが判別される。この判別は、後述するように、第２ＰＨＳ２２において実質的な通信終了とされたかどうかで行われる。通信終了でなければ、前記ステップＳ１１６以降の処理に戻り、通信終了であれば、第２ＰＨＳ２２との通信処理が終了する。
【００７０】
一方、第２ＰＨＳ２２は、図２のステップＳ９の待ち受け状態中に、第１ＰＨＳ２０からの音声信号を受信すると、ステップＳ１２を経てステップＳ１３に進み、受信された前記音声信号が、第２ＰＨＳ２２の内蔵スピーカによって音声に変換されて出力される。
【００７１】
このステップＳ１３での処理が、ステップＳ１１でのキー操作によって項目番号を入力した後であれば、項目に対応したダム情報を含むメッセージ文、例えば、「こちらは、○○ダムです。ダムへの水の流入量は毎秒△△立方ミリです。」等が音声出力される。
【００７２】
前記ステップＳ１３での処理が、ステップＳ１１でのキー操作によってダムの番号を入力した後であれば、そのダムに関するダム情報を含むメッセージ文が音声出力される。
【００７３】
前記ステップＳ１３での処理が、ステップＳ１１でのキー操作によって通話終了を示す番号を入力した後であれば、通話終了を示すメッセージ、例えば、「ダム情報の通話を終了します。」等が音声出力される。
【００７４】
そして、前回の音声出力から所定時間、何も操作しなかった場合であれば、前記ステップＳ１３において、前回要求したダムに関するダム情報を含むメッセージ文が繰り返し音声出力される。
【００７５】
その後、ステップＳ１４において、通信終了であるか否かが判別される。この判別は、通話終了を示す番号を入力したことを前提とし、通信終了キーを操作したかどうかで行われる。通信終了キーを操作していなければ、前記ステップＳ９に戻り、再び待ち受け状態に入る。
【００７６】
そして、通信終了キーを操作することで、この信号がＰＨＳ回線網２８を介して第１ＰＨＳ２０に伝達し、実質的な通信終了となる。
【００７７】
このように、本実施の形態に係るダム情報通信システム１０においては、第２ＰＨＳ２２から要求があった場合に、要求対象のダム情報を編集して出力し、この出力されたダム情報を音声信号に変換し、該音声信号を第１ＰＨＳ２０を通じて第２ＰＨＳ２２に伝達し、第１ＰＨＳ２０からの音声信号を第２ＰＨＳ２２において音声で出力するようにしている。
【００７８】
通常、端末等を通じてダム情報を入手する場合、不必要な情報も付随して送られてくる場合があるが、この実施の形態では、知りたいダム情報だけを入手することができる。即ち、必要なダム情報を、いつでもどこからでも、人間が直接理解できる音声によって入手でき、これにより、担当者による正確な判断、機器故障時等の早期対応が可能で、しかも、ダム管理に関するシステムのコスト低減を図ることができる。
【００７９】
特に、この実施の形態では、いわゆるみなし音声通信方式にてダム情報を音声信号として第２ＰＨＳ２２に送るようにしたので、装置構成も簡単であり、安価に構築でき、システムのコスト低減に有利になる。
【００８０】
また、この実施の形態では、コンピュータ１４は、第１ＰＨＳ２０を通じて第２ＰＨＳ２２からの要求を受信した後、第２ＰＨＳからの再度の要求を受信しない場合、要求のあったダムに関するダム情報の出力を所定時間間隔で繰り返す。特に、所定間隔の間に、ダム情報が更新されれば、更新後のダム情報が出力されることになる。これは、例えば、担当者が音声の内容を聞き逃した場合や、ダム情報の時間的推移を音声で確認したい場合などに便利である。
【００８１】
次に、コンピュータ１４がダム監視装置２４からの警報信号又は機器故障を示す信号を受信した場合の動作、特に、管理センター１２側の動作について図６及び図７のフローチャートを参照しながら説明する。なお、第２ＰＨＳ２２での処理はフローチャートの記述を省略する。
【００８２】
例えば、１つのダム監視装置２４からコンピュータ１４に対して警報信号又は機器故障を示す信号を送信し、コンピュータ１４において警報信号又は機器故障を示すの入力割込みが発生したとき、まず、図６のステップＳ２０１において、コンピュータ１４は、警報信号又は機器故障を示す信号を送信したダム監視装置２４から現在のダム情報を入手する。
【００８３】
次に、ステップＳ２０２において、コンピュータ１４は、第１ＰＨＳ２０に対して、例えば、警報又は機器故障を示す信号を発生したダムの担当者が所有する第２ＰＨＳ２２の電話番号を入力して、該第２ＰＨＳ２２を呼び出す。
【００８４】
呼び出し対象の第２ＰＨＳ２２からの応答があり、第１ＰＨＳ２０と第２ＰＨＳ２２との通信路が確保された段階で、ステップＳ２０３に進み、メッセージ文編集手段３６を通じて、警報又は機器故障を示す信号を発したダムのダム情報を含むメッセージ文データと警報発生又は機器故障発生を示すアラーム音データを編集作成する。編集作成されるメッセージ文データとしては、例えば、警報又は機器故障を示す信号を発したダムの名称、雨量や水位などのタイトルに、ダム監視装置から送られてきた雨量や水位などの数値を組み込んだ文を示すデータであり、内容的には、例えば、「警報発生。○○時○○分大雨警報が発令されました。」又は「機器故障発生。応答確認のためボタンを押して下さい。○○ダム○○時○○分除塵機故障が発生しました。」等である。
【００８５】
その後、ステップＳ２０４において、前記編集作成されたメッセージ文データとアラーム音データを第１ＰＨＳ２０に向けて出力する。その後、ステップＳ２０５において、時間の計数（計時）を開始する。
【００８６】
コンピュータ１４から出力された前記メッセージ文データ及びアラーム音データ（デジタル信号）は、モデム１８によって音声信号に変換され（ステップＳ２０６）、その後、第１ＰＨＳ２０とＰＨＳ回線網２８を通じて第２ＰＨＳ２２に送信される（ステップＳ２０７）。その後、第１ＰＨＳ２０は、図７のステップＳ２０８において待ち受け状態に入り、次のステップＳ２０９において第２ＰＨＳ２２からの応答を待つ。
【００８７】
所定時間経過しても第２ＰＨＳ２２からの応答がない場合は、ステップＳ２１０を経て前記ステップＳ２１１に進み、警報信号又は機器故障を示す信号を送信したダム監視装置２４から現在のダム情報を入手する。その後、図６の前記ステップＳ２０３以降の処理に戻り、現在のダム情報に基づくメッセージ文とアラーム音の音声信号を、今回対象となっている第２ＰＨＳ２２に送信する。
【００８８】
一方、第２ＰＨＳ２２では、第１ＰＨＳ２０からの音声信号が受信された時点で、受信された前記音声信号が、第２ＰＨＳ２２の内蔵スピーカによって音声に変換されて出力される。このとき、第２ＰＨＳ２２からは、人間が直接理解できるアラーム音（警報発生を示すアラーム音）と、例えば、「警報発生。○○時○○分大雨警報が発令されました。」又は「機器故障発生。応答確認のためボタンを押して下さい。○○ダム○○時○○分除塵機故障が発生しました。」という警報発生時又は機器故障発生時のメッセージ文が音声出力されることになる。
【００８９】
担当者は、第２ＰＨＳ２２からの音声出力を確認した後、キー操作によって通話終了を示す番号を入力して、送信する。
【００９０】
第１ＰＨＳ２０において第２ＰＨＳ２２から送信された番号が受信されると、ステップＳ２０９を経て次のステップＳ２１２に進み、前記受信された音声信号は、モデム１８によってデジタル信号に変換され、番号データとしてコンピュータ１４に供給される。
【００９１】
コンピュータ１４は、ステップＳ２１３において、前記供給された番号データが通話終了を示す番号であるか否かを判別し、通話終了を示す番号であれば、次のステップＳ２１４に進み、メッセージ文編集手段３６を通じて、メッセージ情報テーブル３８から１つの定型文メッセージ、例えば、「ダム情報の通話を終了します。」などのように、通話終了を示すメッセージ文データを読み出し、第１ＰＨＳ２０に向けて出力する。
【００９２】
コンピュータ１４から出力された前記メッセージ文データ（デジタル信号）は、モデム１８によって音声信号に変換され（ステップＳ２１５）、その後、第１ＰＨＳ２０とＰＨＳ回線網２８を通じて第２ＰＨＳ２２に送信される（ステップＳ２１６）。
【００９３】
次に、ステップＳ２１７において、通信終了であるか否かが判別される。この判別は、上述したように、第２ＰＨＳ２２において実質的な通信終了とされたかどうかで行われる。通信終了でなければ、前記ステップＳ２０８以降の処理に戻って待ち受け状態に入り、通信終了であれば、第２ＰＨＳ２２との通信処理が終了する。
【００９４】
一方、前記ステップＳ２１３において、通話終了を示す番号でないと判別された場合は、前記ステップＳ２０８以降の処理に戻り、待ち受け状態に入る。
【００９５】
なお、ステップＳ２１７又はステップＳ２１３を通じてステップＳ２０８に戻った場合において、所定時間経過しても第２ＰＨＳ２２からの応答がない場合は、ステップＳ２１０を経て前記ステップＳ２１１に進み、警報信号又は機器故障を示す信号を送信したダム監視装置２４から現在のダム情報を入手し、その後、図６の前記ステップＳ２０３以降の処理に戻り、現在のダム情報に基づくメッセージ文とアラーム音の音声信号を、今回対象となっている第２ＰＨＳ２２に送信する。
【００９６】
第２ＰＨＳ２２は、通話終了を示す番号を入力した後の待ち受け状態中に、第１ＰＨＳ２０からの音声信号を受信すると、受信された前記音声信号が、第２ＰＨＳ２２の内蔵スピーカによって音声に変換されて出力される。この場合、通話終了を示すメッセージ、例えば、「ダム情報の通話を終了します。」等が音声出力される。そして、担当者が通信終了キーを操作することで、この信号がＰＨＳ回線網２８を介して第１ＰＨＳ２０に伝達し、実質的な通信終了となる。
【００９７】
このように、ダムにおいて警報が発生した場合、又は機器故障が発生した場合に、例えば、ダムの名称、雨量や水位などのダム情報が組み込まれたメッセージ文に加えて緊急を知らせるアラームの音声信号を追加して送信するようにしたので、第２ＰＨＳ２２にてアラームが鳴って、ダム情報が音声出力されることから、担当者は、その緊急性を早期に知ることができ、緊急なる事象が発生した場合に迅速に対応することができる。
［ダム情報通信システムの各種変形例］
【００９８】
次に、本実施の形態に係るダム情報通信システム１０の各種変形例について図８〜図１０を参照しながら説明する。
【００９９】
（第１の変形例）
【０１００】
まず、第１の変形例に係るダム情報通信システム１０ａは、図８に示すように、上述した本実施の形態に係るダム情報通信システム１０とほぼ同様の構成を有するが、第１ＰＨＳ２０の代わりに、ＰＨＳアクセスユニット（ＰＡＵ）４０を接続し、インターフェース１６を省略した点で異なる。
【０１０１】
これは、イヤホンマイクジャック２６が付いている第１ＰＨＳ２０が入手できない場合に有利である。ＰＡＵ４０は、アナログ電話用２線式インターフェースを内蔵しており、ＦＡＸや一般電話機を接続してＰＨＳ回線網２８を使用したＦＡＸ送受信や音声通話が可能となる。
【０１０２】
（第２の変形例）
【０１０３】
次に、第２の変形例に係るダム情報通信システム１０ｂは、図９に示すように、上述した本実施の形態に係るダム情報通信システム１０とほぼ同様の構成を有するが、コンピュータ１４とモデム１８の入力端子との間にインターフェース１６を接続し、コンピュータ１４とモデム１８の出力端子との間に音声認識装置４２を接続した点で異なる。もちろん、第１の変形例と同様に、第１ＰＨＳ２０の代わりにＰＡＵ４０を用いてもよい。
【０１０４】
従って、担当者は、第２ＰＨＳ２２に対して音声で要求を入力することが可能となる。音声による要求としては、例えば、担当者が、第２ＰＨＳ２２を使用して、ダムの名称（番号でもよい）や雨量、水位などのタイトルを音声で入力することを含む。
【０１０５】
音声認識装置４２は、入力された音声の内容に応じたデジタル信号、例えば、文字データに変換する。コンピュータ１４は、音声認識装置４２から供給された文字データを検索キーとして、ダム情報テーブル３０から対応する雨量や水位等のダム情報を抽出し、更に、抽出されたダム情報を編集してメッセージ文データとして出力する。コンピュータ１４から出力されたメッセージ文データは、モデム１８によって音声信号に変換される。該音声信号は第１ＰＨＳ２０を通じて第２ＰＨＳ２２に伝達され、該第２ＰＨＳ２２において音声で出力されることになる。
【０１０６】
要求内容をキー操作ではなく、音声入力でよいため、キー操作による番号入力の場合と異なり、ダムの名称やダム情報の項目とキー番号の対応表を参照しながら入力する必要なく、使い勝手のよいシステムを構築することができる。
【０１０７】
（第３の変形例）
【０１０８】
次に、第３の変形例に係るダム情報通信システム１０ｃは、図１０に示すように、上述した本実施の形態に係るダム情報通信システム１０とほぼ同様の構成を有するが、インターフェースとして、ハブ（リピータ）やスイッチングハブ等のセレクタ４４が接続され、該セレクタ４４の各チャネルにそれぞれモデム１８ａ、１８ｂ、１８ｃ……が接続され、各モデム１８ａ、１８ｂ、１８ｃ……にそれぞれメッセージ文やアラーム音の周波数帯よりも高い周波数帯の信号成分を除去するローパスフィルタ（ＬＰＦ）４６ａ、４６ｂ、４６ｃ……が接続され、更に、各ローパスフィルタ４６ａ、４６ｂ、４６ｃ……にそれぞれ第１ＰＨＳ２０ａ、２０ｂ、２０ｃ……が接続されている点で異なる。各第１ＰＨＳ２０ａ、２０ｂ、２０ｃ……は、それぞれダムに対応した専用の第１ＰＨＳである。もちろん、第１の変形例と同様に、第１ＰＨＳ２０ａ、２０ｂ、２０ｃ……の代わりにＰＡＵを用いてもよい。
【０１０９】
そして、例えば、担当者が特定のダムのダム情報を音声で知りたいときは、第２ＰＨＳに対し、複数の第１ＰＨＳ２０ａ、２０ｂ、２０ｃ……のうち、前記特定のダムに対応した第１ＰＨＳ（例えば、第１ＰＨＳ２０ａとする）の電話番号のみを入力して、該第１ＰＨＳ２０ａを呼び出すことにより行われる。
【０１１０】
即ち、呼び出された第１ＰＨＳ２０ａが管轄するダムのダム情報がダム情報テーブル３０から読み出され、その読み出されたダム情報が組み込まれたメッセージ文データ（デジタル信号）がコンピュータ１４から出力される。
【０１１１】
メッセージ文データはセレクタ４４によってその出力経路が切り替えられ、今回対象となっている第１ＰＨＳ２０ａへの伝送経路に出力される。セレクタ４４から出力されたメッセージ文データはモデム１８ａによって音声信号に変換される。モデム１８ａから出力された音声信号は、経路選択のためのアドレス信号等の高周波成分を含むため、ローパスフィルタ４６ａによってその高周波成分が除去され、メッセージ文のみを含む音声信号とされる。この音声信号は、今回対象の第１ＰＨＳ２０ａ及びＰＨＳ回線網２８を通じて、要求のあった第２ＰＨＳ２２に送信され、該第２ＰＨＳ２２から今回のメッセージ文が音声で出力されることになる。
【０１１２】
また、あるダムで警報や機器故障が発生した場合は、そのダムのダム監視装置２４からコンピュータ１４に警報信号又は機器故障を示す信号が入力される。コンピュータ１４は、今回対象のダムのダム監視装置２４から現在のダム情報を入手し、更に、今回対象のダムに対応する第１ＰＨＳ（例えば、第１ＰＨＳ２０ａ）を通じて今回対象のダムの担当者が所有する第２ＰＨＳ２２を呼び出して、これら第１ＰＨＳ２０ａと第２ＰＨＳ２２間の通信路を確保する。
【０１１３】
その後、コンピュータ１４は、前記入手したダム情報を組み込んだ警報発生用又は機器故障発生用のメッセージ文データとアラーム音データを編集作成し、該メッセージ文データ及びアラーム音データを、今回対象のダムに対応する第１ＰＨＳ２０ａに向けて出力する。該メッセージ文データ及びアラーム音データは専用のモデム１８ａによって音声信号に変換されて、第１ＰＨＳ２０ａを通じて今回対象のダムの担当者が所有する第２ＰＨＳ２２に送信され、該第２ＰＨＳから警報発生用又は機器故障用のアラーム音が鳴って、メッセージ文が音声で出力されることになる。
【０１１４】
この第３の変形例においては、担当者は、ダムに対応する番号をいちいち入力する必要がないため、使い勝手のよいシステムとなる。また、警報発生時又は機器故障発生時においても、上述した本実施の形態に係るダム情報通信システム１０と同様に、担当者は、その緊急性を早期に知ることができ、緊急なる事象が発生した場合に迅速に対応することができる。
【０１１５】
上述した例では、ＰＨＳ回線網２８を用いた例を示したが、その他、第１ＰＨＳ２０及び第２ＰＨＳ２２をそれぞれ携帯電話とし、これら携帯電話を携帯電話回線網で接続したシステムにも適用させることができる。即ち、無線通信を利用した移動型電話であればどのようなシステムを利用してもよい。
【０１１６】
（その他の変形）
【０１１７】
なお、本発明に係るダム情報通信装置及びダム情報通信方法は、上述の実施の形態に限らず、本発明の要旨を逸脱することなく、種々の構成を採り得ることはもちろんである。本発明の技術的範囲は、添付の特許請求の範囲の記載に基づいて定められる。
【図面の簡単な説明】
【０１１８】
【図１】図１は、本実施の形態に係るダム情報通信システムを示す構成図である。
【図２】図２は、本実施の形態に係るダム情報通信システムの第２ＰＨＳでの処理を示すフローチャートである。
【図３】図３は、本実施の形態に係るダム情報通信システムの管理センター側での処理を示すフローチャート（その１）である。
【図４】図４は、本実施の形態に係るダム情報通信システムの管理センター側での処理を示すフローチャート（その２）である。
【図５】図５は、本実施の形態に係るダム情報通信システムの管理センター側での処理を示すフローチャート（その３）である。
【図６】図６は、警報発生又は機器故障発生の場合の処理を示すフローチャート（その１）である。
【図７】図７は、警報発生又は機器故障発生の場合の処理を示すフローチャート（その２）である。
【図８】図８は、本実施の形態に係るダム情報通信システムの第１の変形例を示す構成図である。
【図９】図９は、本実施の形態に係るダム情報通信システムの第２の変形例を示す構成図である。
【図１０】図１０は、本実施の形態に係るダム情報通信システムの第３の変形例を示す構成図である。
【符号の説明】
【０１１９】
１０、１０ａ〜１０ｃ：ダム情報通信システム、  １２：管理センター、  １４：コンピュータ、  １６：インターフェース、  １８：モデム、  ２０：第１ＰＨＳ、  ２２：第２ＰＨＳ、  ２４：ダム監視装置、  ２８：ＰＨＳ回線網、  ３０：ダム情報テーブル、  ３２：ダム情報受取手段、３４：ダム情報読出手段、  ３６：メッセージ文編集手段、４０：ＰＡＵ、  ４２：音声認識装置
【図１】
2005244451.tif 000003
【図２】
2005244451.tif 000004
【図３】
2005244451.tif 000005
【図４】
2005244451.tif 000006
【図５】
2005244451.tif 000007
【図６】
2005244451.tif 000008
【図７】
2005244451.tif 000009
【図８】
2005244451.tif 000010
【図９】
2005244451.tif 000011
【図１０】
2005244451.tif 000012